(57)【要約】【課題】蓋を開閉し易くすると共に容器本体と蓋を容易に切り離せるようにし、かつ容器本体から蓋を切り離して他の用途に使用する際等に、取扱者が切り離し部分のバリで怪我をするのを防止する。【解決手段】容器本体１と開閉蓋２とがヒンジ部３を介してシート材で一体成形された医療器具用容器であって、ヒンジ部を容器本体と前記蓋とを分離する波形状の切断線３１と、この切断線上に任意数設けた非切断部３２とで構成する。非切断部は切断線で形成される山（凸部）と谷（凹部）の中間部に位置させて設けてあり、容器本体と前記蓋は非切断部で連結されている。【選択図】図１
2008079933.tif 000002
【特許請求の範囲】
【請求項１】
容器本体と開閉蓋とがヒンジ部を介してシート材で一体成形された医療器具用容器であって、
前記ヒンジ部は前記容器本体と前記蓋とを分離する波形状の切断線と、この切断線上に設けた非切断部とで構成され、
前記非切断部は前記切断線の山と谷の中間部に位置させて設けられ、
前記容器本体と前記蓋は前記非切断部で連結されている
ことを特徴とする医療器具用容器。
【請求項２】
前記シート材がプラスチックシートであることを特徴とする請求項１に記載の医療器具用容器。
【請求項３】
請求項１又は２に記載の医療器具用容器において、前記非切断部は前記切断線の各山と各谷との間の中央部を通る中央線上に位置させて、少なくとも２箇所に設けられていることを特徴とする医療器具用容器。
【請求項４】
請求項１ないし３のいずれかに記載の医療器具用容器において、前記切断線の各谷の部分は手指が入らない大きさに形成されていることを特徴とする医療器具用容器。
【発明の詳細な説明】
【技術分野】
【０００１】
本発明は、例えばシリンジ（注射器）やカテーテルその他の医療器具を収容して包装する医療器具用容器に関する。さらに詳しくは、医療器具の包装用として使用後、蓋を容器本体から切り離し、容器本体を廃棄物その他の各種物品の収容するトレー等として使用する医療器具用容器に関する。
【背景技術】
【０００２】
従来、各種の物品を収容して包装する容器として、容器本体と蓋体とをヒンジ部を介して一体形成し、容器本体と蓋体とを分離可能に構成したものがある。従来のこの種容器は例えば図７に示すように、一般に容器本体１０１と蓋体１０２とをフランジ部１０３で接続してプラスチックシートで一体形成されている。フランジ部１０３の中央線には、切断部１０４ａと非切断部１０４ｂとを同一線上に位置させてミシン目状等に施した断続切断線１０４が形成され、断続切断線１０４でヒンジ部１０５が構成されている（例えば、特許文献１〜２参照）。
上記のように構成した従来の容器１００（以下、「従来容器」という）によれば、容器本体１０１と蓋体１０２は非切断部１０４ｂのみで連結され、非切断部１０４ｂを支点として回動自在になっているので、蓋体を回動（起伏）することにより容器本体の上端開口部を開閉することができる。また、蓋体を引っ張って非切断部を引きちぎることにより、容器本体と蓋体とを切断線１０４に沿って容易に切り離すことができる。
【０００３】
しかるに、従来容器１００は次のような問題点を有している。従来容器１００は切断部１０４ａと非切断部１０４ｂが同一直線上に位置して設けてあるため、容器本体と蓋体を切り離した際、図７（ｂ）に示すように、非切断部の引きちぎれた部分が容器本体及び蓋体の端縁部１０６，１０７に突刺状のバリ１０８ａ，１０８ｂとして残る。そして、前記バリは端縁部１０６，１０７から突出している。したがって、取扱者が蓋体や容器本体を手で持つ際等、作業中に端縁部に触れたとき突出したバリで手指等を怪我する場合がある。
特に、医療現場において医師や看護師等の取扱者が手指などに怪我をした場合には、傷口から病原菌が感染する等の危険性がある。そのため、従来容器を医療器具用として採用することは好ましくない。
【特許文献１】特開２０００−３２７０００号公報
【特許文献２】特開２００４−１３６９６９号公報
【発明の開示】
【発明が解決しようとする課題】
【０００４】
本発明は上記のような実情に鑑みてなされたもので、蓋の開閉を容易にし、かつ、蓋を容器本体から切り離して他の用途に使用する際や廃棄物を分別廃棄する際等に、取扱者が切り離し部分のバリにより怪我をするのを防止して安全性を向上し得る医療器具用容器を提供することを目的とするものである。
【課題を解決するための手段】
【０００５】
上記目的を達成するため、本発明のうち１つの発明（第１の発明）は、容器本体と開閉蓋とがヒンジ部を介してシート材で一体成形された医療器具用容器であって、前記ヒンジ部は前記容器本体と前記蓋とを分離する波形状の切断線と、この切断線上に設けた非切断部とで構成され、前記非切断部は前記切断線の山（凸部）と谷（凹部）の中間部に位置させて設けられ、前記容器本体と前記蓋は前記非切断部で連結されていることを特徴とする。
【０００６】
なお、この明細書において、「波形状」の用語は切断線を中央線で区切った場合の１つの山（或いは１つの谷）を含む半波形に相当する部分の形状が、半円形、半楕円形、Ｕ字形、角部を丸く形成したＶ字形、角部を丸く形成した多角形、及び前記各形状を組み合わせた形状等を含む広い概念として用いられている。
【０００７】
第１の発明のように構成すると、容器本体と開閉蓋は非切断部のみで連結され、前記両者は非切断部を支点（回動中心）として相互に回動自在になっているので、前記蓋を回動（起伏）することにより容器本体の開口部を開閉することができる。したがって、開閉操作が簡単、かつ円滑良好になる。
また、前記蓋を開けた状態で、一方の手で容器本体を持つと共に他方の手で前記蓋を持ち、両者を互いに離反する方向へ引っ張って非切断部を引きちぎることにより、容器本体と蓋とを容易に切り離すことができる。両者を切り離すことにより、非切断部の引きちぎられた部分が容器本体と蓋の両方にバリとして残るが、前記バリは切断線の山と谷の中間部の位置に形成される。したがって、医師や看護師等の取扱者が蓋や容器本体を手で持っても手指がバリに触れることがないので、取扱者がバリにより怪我をするのを防止できる。
【０００８】
本発明において、前記シート材としてプラスチックシートを採用することができる（第２の発明）。
【０００９】
本発明の他の１つの発明（第３の発明）は、第１又は第２の発明の医療器具用容器において、前記非切断部は前記切断線の各山と各谷との間の中央部を通る中央線上に位置させて、少なくとも２箇所に設けられていることを特徴とする。
【００１０】
本発明のさらに他の１つの発明（第４の発明）は、第１ないし第３のいずれかの発明の医療器具用容器において、前記切断線の各谷の部分は手指が入らない大きさに形成されていることを特徴とする。
第４の発明のように構成すると、バリによる怪我防止作用が一層向上する。
【発明の効果】
【００１１】
本発明によれば、次のような効果を奏する。（１）開閉蓋の開閉が簡単、かつ円滑良好になる。（２）蓋を容器本体から切り離して他の用途に使用する際や分別廃棄する際等に、バリによる取扱者に対する怪我を防止して安全性を向上する。（３）第４の発明によれば、前記効果に加え、バリによる怪我防止効果を一層向上することができる。
【発明を実施するための最良の形態】
【００１２】
以下、図面を参照して本発明の実施の形態の一例を説明する。
【００１３】
図１は本発明の一実施の形態の医療器具用容器を示すもので、同図（ａ）は開閉蓋を開けた状態の前記容器の構成を概略的に示す平面説明図、同図（ｂ）は同図（ａ）の前記容器の要部の一部を拡大し、その構成を概略的に示す説明図、図２は図１の前記容器の構成を概略的に示す側面説明図（ａ）と縦断面説明図（ｂ）、図３は図１の前記容器の容器本体と開閉蓋とを切り離した状態を示す図であって、同図（ａ）は前記容器の構成を概略的に示す平面説明図、同図（ｂ）は同図（ａ）の前記容器の要部の一部を拡大し、その構成を概略的に示す説明図である。
【００１４】
上記図１〜図３において、この実施の形態１の医療器具用容器は、上面を開口した容器本体１と、この容器本体１の開口部１１を開閉する開閉蓋２とを備えている。前記本体１と蓋２はヒンジ部３を介してシート材により一体成形されている。
【００１５】
前記容器を構成するシート材の素材は特に限定するものではないが、例えばＰＥＴ（ポリエチレンテレフタレート）、ＰＰ（プリプロピレン）、ポリスチレンその他のプラスチックシートを採用することができる。プラスチックシートの厚みは特に限定されないが、例えば０．１〜１．５ｍｍ程度の範囲が好ましい。シートの厚みが０．１ｍｍより薄いと剛性が不足する傾向にあり、１．５ｍｍを越えると成形時の賦形性が劣る等の問題が生じる恐れがある。なお、上述したようにシートの厚みは前記範囲に限定されるものではない。
前記容器の製造方法は特に限定しないが、例えば真空成形、圧空成形、或いはこれらを併用した真空・圧空成形等により成形する方法を採用することができる。
【００１６】
前記容器本体１はシリンジやカテーテルその他の医療器具４（図示の医療器具はシリンジ）を収容する収容部１２を備え、医療器具４は収容部１２に収容して包装される。収容部１２の上端は前記開口部１１で開口されている。容器本体１の大きさ及び形状は包装する医療器具４等に応じて適当に決定される（図示では略方形状）。また、収容室１２の大きさ及び形状も同様に医療器具４等に応じて適当に決定することができる。
【００１７】
容器本体１の開口部１１の周縁には適当な巾のフランジ部１３が設けてある。フランジ部１３の各角部には丸味が付与されている。
【００１８】
前記蓋２は、開閉時に容器本体１の開口部１１を上から閉蓋可能な大きさに構成されている。実施の形態１の前記蓋２は、開閉時に容器本体１の開口部１１にフィットして嵌合する嵌合リブ部２１を備え、閉蓋時に前記リブ２１部が開口部１１に係合して嵌合するように構成してある。
前記蓋２の周縁には閉蓋した際に容器本体１のフランジ部１３と整合するフランジ部２２が設けてあり、フランジ部２２の各角部には前記フランジ部１３と同様の丸味が付与されている。前記フランジ部２２と容器本体のフランジ部１３は対向する部分２２ａ及び１３ａで一体的に接合され、両部分２２ａ，１３ａで連繋フランジ部２３が構成されている。また、前記フランジ部２２の前記部分２２ａと反対側に位置する部分２２ｂには部分２２ｂから延長して突設した鍔部２２ｃ，２２ｃが形成されている。この鍔部２２ｃ，２２ｃは蓋２の開閉操作を容易にするために設けたものである。
【００１９】
前記ヒンジ部３は容器本体１と前記蓋２とを分離する波形状の切断線３１と、この切断線３１上に設けた非切断部３２とで構成されている。非切断部３２は切断線３１の山と谷の中間部に位置させて任意数設けられる。実施の形態１のヒンジ部３は連繋フランジ部２３に設けられている。容器本体１と蓋２（実施の形態１では部分１３ａと２２ａ）は非切断部３２のみで連結され、非切断部３２以外は切断線３１で分離されている。図示の非切断部３２は黒点で表示されている（後述する各実施の形態においても同様）。
【００２０】
容器本体１と蓋２は非切断部３２を支点（回動中心）として相対的に回動自在に構成され、蓋２を回動（起伏）して容器本体１の開口部１１を開閉するように構成されている。非切断部の数量は特に限定されないが、２個又は２個以上設けることが好ましい。
【００２１】
実施の形態１のヒンジ部３の波形状の切断線３１は、連繋フランジ部２３の一端部から他端部に掛けて形成されている。また、非切断部３２は切断線３１で形成される各山（凸部）３３と各谷（凹部）３４（図３参照）との間の中央部を通る中央線３５上に位置させて１０箇所（１０個）に設けてある。各非切断部３２は左右にバランスよく配置して設けてある。
【００２２】
前記切断線３１の波形形状は特に限定するものではないが、実施の形態１では、切断線３１を中央線３５で区切った場合の１つの山（或いは１つの谷）を含む半波形に相当する部分の形状が、角部（山頂部及び谷底部）を丸くした略三角形状に形成した例が開示されている。
【００２３】
前記切断線３１は各谷３４の部分の大きさを手指が入らない大きさに形成するように設定することが好ましい。例えば、各山３３間の距離３６（寸法）を４〜８ｍｍ程度の範囲に設定することができる。但し、前記範囲に限定するものではない。また、各山３３の高さ、即ち、山頂と谷底間の距離３７（寸法）を４〜１０ｍｍ程度の範囲に設定することができる（但し、前記範囲に限定するものではない）。
【００２４】
前記各非切断部３２の長さ３８は特に限定されないが、例えば、０．５〜１．０ｍｍ程度の範囲で適宜決定することができる。但し、前記範囲に限定するものではない。前記各非切断部３２と切断線３１は、非切断部３２を所定の長さ３８だけ残すようにして、例えば波形の刃で連繋フランジ部２３をプレス加工する等により形成することができる。
【００２５】
実施の形態１の医療器具用容器は上記のように構成され、上述したように、容器本体１と蓋２は非切断部３２を回動中心として相互に回動自在になっているので、蓋２を回動（起伏）することにより容器本体の開口部１１を円滑良好に開閉することができる。また、閉蓋時には嵌合リブ部２１が開口部１１に嵌合するので、安定して閉蓋することができる。
さらにまた、蓋２を開けた状態で、一方の手で容器本体１を持つと共に他方の手で蓋２を持ち、両者１，２を互に離反する方向へ引っ張って非切断部３２を引きちぎることにより容器本体１と蓋２とを容易に切り離すことができる。両者１，２を切り離すことにより、図３（ｂ）に示すように、非切断部３２の引きちぎれた部分が容器本体１と蓋２の両方にバリ３２ａ，３２ｂとして残るが、これらのバリ３２ａ，３２ｂは切断線の山（凸部）３３及び谷（凹部）３４の中央部に形成される。したがって、医師や看護師等の取扱者が蓋２や容器本体１を手で持っても手指等がバリ３２ａ，３２ｂに触れることはないので、取扱者がバリによって怪我をするのを確実に防止できる。
【００２６】
次に前記容器の使用方法の一例につき説明する。シリンジその他の医療器具４を容器本体１の収容部１２に収容し、閉蓋すると共に適当部を粘着テープ等（図示せず）で固定することにより包装される。そして、医療現場において、医師や看護師等が開蓋して医療器具４を使用する。
包装用として使用後の容器は、容器本体１と蓋２を切り離し、容器本体１を使用済みシリンジや使用済みガーゼ等の廃棄物その他の各種物品を収容するトレーとして使用する。また、蓋２は、例えば使用前のガーゼや縫合針その他の各種物品用のトレーとして使用することができる。そして、廃棄物が収容された容器本体１に蓋２を嵌合して開口部１１を閉じ、これを医療廃棄物として廃棄する。
【００２７】
図４ないし図６は本発明のそれぞれ他の実施の形態の医療器具用容器の要部の一部の構成を概略的に示す説明図である。これら各医療器具用容器において、実施の形態１で既に説明した構成と共通する構成部等には同一符号を付して説明を省略する。これら各実施の形態の医療器具用容器はヒンジ部３の構成に特徴がある。
【００２８】
図４に示す実施の形態（実施の形態２）の医療器具用容器は、ヒンジ部３の波形状の切断線３１Ａを中央線３５で区切った場合の１つの山（或いは１つの谷）を含む半波形に相当する部分の形状が半円形状に形成されている。他の構成は実施の形態１と同様である。
【００２９】
図５に示す実施の形態（実施の形態３）の医療器具用容器は、ヒンジ部３の波形状の切断線３１Ｂを中央線３５で区切った場合の１つの山（或いは１つの谷）を含む半波形に相当する部分の形状が略Ｕ字形状に形成されている。他の構成は実施の形態１と同様である。
【００３０】
図６に示す実施の形態（実施の形態４）の医療器具用容器は、ヒンジ部３の波形状の切断線３１Ｃを中央線３５で区切った場合の１つの山（或いは１つの谷）を含む半波形に相当する部分の形状が、角部を丸くした角形状（四角形状）に形成されている。他の構成は実施の形態１と同様である。
【００３１】
実施の形態２〜４の各医療器具用容器は上記のように構成され、実施の形態１と全く同様に使用される。これにより、実施の形態１と同様の作用効果を奏する。
【００３２】
なお、上述したヒンジ部３の波形状の切断線３１，３１Ａ，３１Ｂ，３１Ｃの形状は一例として開示したもので、図示以外の形状に変更可能なこと勿論である。
【００３３】
なお、上記した各実施の形態の医療器具用容器は一例として開示したもので、本発明は上記の実施の形態に限定されるものではなく、特許請求の範囲に記載の技術思想を越脱しない範囲内において任意に変更可能なものである。
【図面の簡単な説明】
【００３４】
【図１】本発明の一実施の形態の医療器具用容器を示すものであって、同図（ａ）は開閉蓋を開けた状態の前記容器の構成を概略的に示す平面説明図、同図（ｂ）は同図（ａ）の前記容器の要部の一部を拡大し、その構成を概略的に示す説明図である。
【図２】図１の前記容器の構成を概略的に示す側面説明図（ａ）と縦断面説明図（ｂ）である。
【図３】図１の医療器具用容器の容器本体と開閉蓋とを切り離した状態を示す図であって、同図（ａ）は前記容器の構成を概略的に示す平面説明図、同図（ｂ）は同図（ａ）の前記容器の要部の一部を拡大し、その構成を概略的に示す説明図である。
【図４】本発明の他の実施の形態の医療器具用容器の要部の一部の構成を概略的に示す説明図である。
【図５】本発明のさらに他の実施の形態の医療器具用容器の要部の一部の構成を概略的に示す説明図である。
【図６】本発明のさらに他の実施の形態の医療器具用容器の要部の一部の構成を概略的に示す説明図である。
【図７】従来容器の一例を示す図であって、同図（ａ）は開蓋状態の従来容器の構成を概略的に示す平面説明図、同図（ｂ）は同図（ａ）の容器の容器本体と蓋体とを切り離し、その一部を拡大して示す説明図である。
【符号の説明】
【００３５】
１      容器本体
２      開閉蓋
３      ヒンジ部
３１    波形状の切断線
３２    非切断部
【図１】
2008079933.tif 000003
【図２】
2008079933.tif 000004
【図３】
2008079933.tif 000005
【図４】
2008079933.tif 000006
【図５】
2008079933.tif 000007
【図６】
2008079933.tif 000008
【図７】
2008079933.tif 000009